(57)【要約】【課題】ＸＹ波形表示において、ＶＴ波形に連動したサーチを可能とする。【解決手段】測定対象からＡＣＱデータを入力しメモリに格納するデータ処理部と、該データ処理部内に配置され、前記メモリに格納されたＡＣＱデータをもとに波形情報の解析を行いサ−チポイントを前記メモリに蓄えるデータ解析部と、前記メモリに格納されたＡＣＱデータをもとにＶＴ波形表示データ及びＸＹ波形表示データを生成する表示データ生成部と、前記メモリに格納されたＶＴ波形表示データ、ＸＹ波形表示データ及びＶＴ波形表示サーチポイントを合成してＤＩＳＰＬＡＹに転送する表示処理部と、前記ＶＴ波形表示サーチポイントを表示処理部に指令するＣＰＵを備えたデジタルオシロスコープにおいて、前記表示データ生成部にデータ解析部で求めたＶＴ波形表示サーチポイントをＸ座標及びＹ座標の情報に変換する表示データ位置情報変換部を設けた。【選択図】図１
2010266329.tif 000002
【特許請求の範囲】
【請求項１】
測定対象からＡＣＱデータを入力しメモリに格納するデータ処理部と、該データ処理部内に配置され、前記メモリに格納されたＡＣＱデータをもとに波形情報の解析を行いサ−チポイントを前記メモリに蓄えるデータ解析部と、前記メモリに格納されたＡＣＱデータをもとにＶＴ波形表示データ及びＸＹ波形表示データを生成する表示データ生成部と、前記メモリに格納されたＶＴ波形表示データ及びＸＹ波形表示データ、ＶＴ波形表示サーチポイントを合成してＤＩＳＰＬＡＹに転送する表示処理部と、前記ＶＴ波形表示サーチポイントを表示処理部に指令するＣＰＵを備えたデジタルオシロスコープにおいて、
前記表示データ生成部にデータ解析部で求めたＶＴ波形表示サーチポイントをＸ座標及びＹ座標の情報に変換する表示データ位置情報変換部を設けたことを特徴とするデジタルオシロスコープ。
【請求項２】
前記データ解析部にて異なる２つのＶＴ波形表示サーチポイントを求めることにより、前記表示データ位置情報変換部にて、Ｘ座標及びＹ座標の情報に変換された情報をもとに、ＸＹ表示波形にＸ−Ｙ波形表示上のＸ座標とＹ座標の交点を中心点として、波形と２つのカーソルの交点である前記Ｘ座標及びＹ座標の情報、ＸＹ波形表示サーチポイントの３点から開き角を求め、該開き角を表示したことを特徴とする請求項１記載のデジタルオシロスコープ。
【発明の詳細な説明】
【技術分野】
【０００１】
本発明は、デジタルオシロスコープに関し、詳しくは測定対象からのアクイジションしたデータを解析し、解析した結果をＶＴ波形画面上の波形と連動した形でＸＹ波形画面上に表示可能としたデジタルオシロスコープに関するものである。
【背景技術】
【０００２】
図４はデジタルオシロスコープの従来例を示す要部ブロック構成図、図５は従来の表示画面イメージを示す図（ａ−１，ａ−２，ａ−３）である。
図４において、データ処理部１にはデータ解析部２や表示データ生成部３などが格納されている。
【０００３】
メモリ４では測定対象５から取り込まれたアクイジションデータ（以下、ＡＣＱデータ）がデータ処理部１との間で授受される。データ解析部２はメモリ４内に取り込んだＡＣＱデータからＣＰＵ８から指定された設定に従い波形情報を解析し、検索結果（以下、サーチポイント）を検出する。表示データ生成部３はメモリ４内に取り込んだＡＣＱデータからＶＴ波形表示データ及びＸＹ波形表示データを生成する。表示処理部６はディスプレイ７に対して、データ解析部２で検出したＶＴ波形表示サーチポイントと表示データ生成部３にて生成されたＶＴ波形表示ータ及びＸＹ波形表示データを合成して、ＤＩＰＳＬＡＹ７に表示するためのデータ処理を行う。ＣＰＵ８は上述の各部に対して動作を指令する。
【０００４】
このような従来のデジタルオシロスコープの動作について説明する。
測定対象５から取り込まれたＡＣＱデータはデータ処理部１を介してメモリ４に蓄えられる。
【０００５】
メモリ４に蓄えられたＡＣＱデータはデータ処理部１に再度読み出され、表示データ生成部３にて図５（ａ−１）に示すＶＴ波形表示データを生成しメモリ４へ格納する。同時にメモリ４から読み出されたＡＣＱデータを使用して、データ解析部２ではＣＰＵ８からの設定に従い、ＶＴ波形表示に使用するＡＣＱデータに含まれる波形情報を解析し、ＶＴ波形表示サーチポイントをメモリ４に蓄える。
【０００６】
表示データ生成部３ではＶＴ波形表示に使用したＡＣＱデータの中から、予めＣＰＵ８にて設定されたＸＹ波形表示データのＸソース及びＹソースを選択して、図５（ａ−１）に示すＸＹ波形表示データを生成し再度メモリ４に格納する。その後、表示データ生成部３は生成されたＶＴ波形表示データ及びＸＹ波形表示データをメモリ４から再度読み出し、図５（ａ−２）に示すように合成して表示処理部６に転送する。
【０００７】
表示処理部６では、ＤＩＳＰＬＡＹ７で表示させるグリッド/文字をＣＰＵ８からの指令に従って生成し、データ解析部２で検出したＶＴ波形表示サーチポイントの情報をＣＰＵ８経由でメモリ４から読み出し、表示処理部６に転送し、データ処理部１より転送されたＶＴ波形表示データ及びＸＹ波形表示データと合成して、ＤＩＳＰＬＡＹ７に転送する。
これにより、図５（ａ−３）に示すようにＶＴ波形表示サーチポイントを特定したＶＴ波形をＤＩＳＰＬＡＹ７に表示することができる。
【先行技術文献】
【特許文献】
【０００８】
【特許文献１】特開平３−５６８６３号公報
【特許文献２】特開平５−１１９０６９号公報
【特許文献３】特開平７−２３９６８０号公報
【発明の概要】
【発明が解決しようとする課題】
【０００９】
ところで、上述の従来装置ではＶＴ波形に表示されるサーチポイント表示は、ＸＹ波形表示へ反映されない。という課題があった。
従って本発明は、ＶＴ波形表示とＸＹ波形表示が連動したサーチポイント簡易表示（十字カーソルハイライト表示）を実現することを目的とする。
【課題を解決するための手段】
【００１０】
本発明は上記問題点を解決するためになされたもので、請求項１にデジタルオシロスコープの発明においては、
測定対象からＡＣＱデータを入力しメモリに格納するデータ処理部と、該データ処理部内に配置され、前記メモリに格納されたＡＣＱデータをもとに波形情報の解析を行いサ−チポイントを前記メモリに蓄えるデータ解析部と、前記メモリに格納されたＡＣＱデータをもとにＶＴ波形表示データ及びＸＹ波形表示データを生成する表示データ生成部と、前記メモリに格納されたＶＴ波形表示データ、ＸＹ波形表示データ及びＶＴ波形表示サーチポイントを合成してＤＩＳＰＬＡＹに転送する表示処理部と、前記ＶＴ波形表示サーチポイントを表示処理部に指令するＣＰＵを備えたデジタルオシロスコープにおいて、
前記表示データ生成部にデータ解析部で求めたＶＴ波形表示サーチポイントをＸ座標及びＹ座標の情報に変換する表示データ位置情報変換部を設けたことを特徴とする。
【００１１】
請求項２においては、請求項１に記載のデジタルオシロスコープの発明において、前記データ解析部にて異なる２つのＶＴ波形表示サーチポイントを求めることにより、前記表示データ位置情報変換部にて、Ｘ座標及びＹ座標の情報に変換された情報をもとに、ＸＹ表示波形にＸ−Ｙ波形表示上のＸ座標とＹ座標の交点を中心点として、波形と２つのカーソルの交点である前記Ｘ座標及びＹ座標の情報、ＸＹ波形表示サーチポイントの３点から開き角を求め、該開き角を表示したことを特徴とする。
【発明の効果】
【００１２】
本発明の請求項１および２の発明によれば、ＶＴ波形画面上のみで表示可能であったサーチポイントがＶＴ波形と連動した形でＸＹ波形画面上でも表示可能となった。
【図面の簡単な説明】
【００１３】
【図１】本発明のデジタルオシロスコープの実施形態の一例を示す要部ブロック構成図である。
【図２】本発明のデジタルオシロスコープの表示画面イメージを示す図である。
【図３】本発明のデジタルオシロスコープの他の実施例を示す表示画面である。
【図４】従来のデジタルオシロスコープの一例を示す要部ブロック構成図である。
【図５】従来のデジタルオシロスコープの表示画面イメージを示す図である。
【発明を実施するための形態】
【００１４】
図１は、本発明のデジタルオシロスコープの実施形態の一例を示す要部ブロック構成図である。
図２は本発明のデジタルオシロスコープの表示画面イメージを示す図である。
図１、図２において、図４、図５に示す従来例と同一要素には同一符号を付している。
【００１５】
図１に示すように表示データ生成部３にデータ解析部２で求めたＶＴ波形表示用サーチポイントをＸ座標及びＹ座標の情報（以下、ＸＹ波形表示サーチポイントという）に変換する機能を追加する。
次に、動作について説明する。
【００１６】
即ち、データ解析部２にて得られたＶＴ波形表示サーチポイントをメモリ４から読み出し、表示データ位置情報変換部３ａ内の記憶回路（以下、レジスタという・・・図示省略)に保持する。
表示データ生成部３はＸＹ波形表示データ生成の為、予めＣＰＵ８にて設定されたＸＹ波形表示データのＸソース及びＹソースとなるＡＣＱデータをメモリ４から読み出し、Ｘ−Ｙ表示データを作成する。同時に、表示データ位置情報変換部３ａはレジスタに保持してあるＶＴ波形表示サーチポイントとＸＹ波形表示データのＸソース及びＹソースとなるＡＣＱデータを比較して、ＶＴ波形表示サーチポイントと連動したＸＹ波形のＸ座標軸及びＹ座標軸の情報であるＸＹ波形表示サーチポイントを内部レジスタに保持する。
【００１７】
表示データ生成部３では生成されたＶＴ波形表示データ及びＸＹ波形表示データをメモリ４から再度読み出し、図２（ａ−２）に示すように合成して表示処理部６に転送する。
ＣＰＵ８は、表示データ位置情報変換部３ａ内のレジスタに保持してあるＸ座標軸及びＹ座標軸の情報であるＸＹ波形表示サーチポイントを読み出して、その情報をもとに表示処理部６に対して、ＤＩＳＰＬＡＹ７で表示させるグリッド/文字及びサーチポイント簡易表示（十字カーソルハイライト表示）を生成し、ＶＴ波形表示データ及びＸＹ波形表示データと合成することにより、図２（ａ−３）に示すようにＶＴ波形表示サーチポイントと連動したＸＹ波形表示サーチポイントを表示した波形をＤＩＳＰＬＡＹ７に表示する。
【００１８】
図３は他の実施例を示す図である。
図３に示すように、データ解析部２にて異なる２つのサーチポイントＶＴ波形表示サーチポイントＡ及びＶＴ波形表示用サーチポイントＢを求めることにより、ＸＹ表示波形にＸ−Ｙ波形表示上のＸ座標とＹ座標の交点を中心点として、波形と２つのカーソルの交点であるＸＹ波形表示サーチポイントＡ，ＸＹ波形表示サーチポイントＢの３点から開き角（以降θとする）を求める波形解析結果表示が実現可能である。
【００１９】
表示データ位置情報変換部３ａにてＸＹ波形表示サーチポイントとして、Ｘ−Ｙ波形表示上のＸ座標とＹ座標も算出しているので、ＣＰＵ８にて開き角θを算出し、ＣＰＵ８からの指令により、表示処理部６にて文字である開き角θ及び座標軸を生成し、ＶＴ波形データ及びＸＹ表示波形データと合成して、ＤＩＳＰＬＡＹ８に転送することにより追加表示可能である。
【００２０】
上述の表示方法によれば、位相偏移変調（ＰＳＫ）を必要とする移動体通信(携帯電話)のベースバンドチップのＤｏｗｎｌｉｎｋ部分で、異なる２ソースの位相をオシロスコープにて解析可能となる。
【００２１】
なお、以上の説明は、本発明の説明および例示を目的として特定の好適な実施例を示したに過ぎない。
従って本発明は、上記実施例に限定されることなく、その本質から逸脱しない範囲で更に多くの変更、変形を含むものである。
【符号の説明】
【００２２】
１      データ処理部
２      データ解析部
３      表示データ生成部
３ａ    表示データ位置情報変換回路
４      メモリ
５      測定対象
６      表示処理部
７      ＤＩＳＰＬＡＹ
８      ＣＰＵ
【図１】
2010266329.tif 000003
【図２】
2010266329.tif 000004
【図３】
2010266329.tif 000005
【図４】
2010266329.tif 000006
【図５】
2010266329.tif 000007